【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
摂取可能装置であって、
第１の端部、前記第１の端部から反対側の第２の端部、および前記第１の端部から前記第２の端部に長手方向に延在する半径方向壁によって画定されるハウジングと、
感知サブユニットであって、
第１の波長における第１の照明および第２の波長における第２の照明を前記摂取可能装置のハウジングの外部の環境に向かって伝達することと、
前記第１の照明に起因する前記環境からの第１の反射率および前記第２の照明に起因する前記環境からの第２の反射率を検出することとであって、前記第１の反射率値は前記第１の反射率における光の量を示し、前記第２の反射率値は前記第２の反射率における光の量を示すことと、を行うように構成された、感知サブユニットと、
前記摂取可能装置内部に配置された処理装置であって、
前記第１の反射率値および前記第２の反射率値の比率をデータセット内に格納することであって、前記データセットは複数の値を含み、前記複数の値の各々は、それぞれの時間に検出されたそれぞれ第１の反射率およびそれぞれ第２の反射率のそれぞれの比率に対応する、格納することと、
前記データセットから、値の第１のサブセットを取得することであって、値の前記第１のサブセットは、最近の時間範囲で検出された最近の第１の反射率および第２の反射率の格納された比率の第１の所定数の最近の測定に対応する、値の第１のサブセットを取得することと、
前記データセットから、値の第２のサブセットを取得することであって、値の前記第２のサブセット、過去の時間範囲で検出された過去の第１の反射率および第２の反射率の格納された比率の第２の所定数の過去の測定に対応する、値の第２のサブセットを取得することと、
（ここで、前記最近の時間範囲は、所定の期間によって前記過去の時間範囲から分離される）
閾値を超える、第１の平均値および第２の平均値の間の差または比率に基づいて、前記身体の前記胃腸管内部の前記摂取可能装置の前記位置における変化を識別することと
（ここで、前記第１の平均値は、前記値の第１のサブセットの平均であり、前記第２の平均値は、前記値の第２のサブセットの平均である）
を行うように構成された、処理装置と
を備える、摂取可能装置。
【請求項２】
前記第１の波長が、４９５〜６００ｎｍの間の光の緑色のスペクトル内であり、前記第２の波長が、４００〜４９５ｎｍの間の光の青色のスペクトル内である、請求項１に記載の摂取可能装置。
【請求項３】
前記第１の波長および前記第２の波長が、少なくとも５０ｎｍ離れている、請求項２に記載の摂取可能装置。
【請求項４】
感知サブユニットが、第１の平均値と第２の平均値との差が閾値を超える場合、前記身体の前記胃腸管内部の前記摂取可能装置の位置における前記変化を識別するように構成される、
（ここで、前記第１の平均値は、前記値の第１のサブセットの平均であり、前記第２の平均値は、前記値の第２のサブセットの平均である）
請求項１〜３のいずれか１項に記載の摂取可能装置。
【請求項５】
前記閾値が、値の前記第１のサブセットおよび値の前記第２のサブセットのうちの少なくとも１つの標準偏差に基づく、請求項４に記載の摂取可能装置。
【請求項６】
前記処理装置が、
前記摂取可能装置の先行する位置が胃であったと判断することと、
前記閾値よりも大きいことによって、前記第１の平均値が前記第２の平均値よりも大きいという判断に応答して、前記胃から十二指腸への検出された幽門移行を示すデータを格納することと
を行うように構成されることによって、前記摂取可能装置の前記位置における前記変化を識別するように構成される、請求項４または請求項５のいずれか１つに記載の摂取可能装置。
【請求項７】
前記閾値が、前記値の第２のサブセットの標準偏差の１〜５倍の間の値である、請求項６に記載の摂取可能装置。
【請求項８】
前記閾値が、前記値の第２のサブセットの標準偏差の３倍である、請求項７に記載の摂取可能装置。
【請求項９】
前記処理装置が、
前記検出された幽門移行を示す以前に格納されたデータがなかったという判断に応答して、前記第２の平均値を示すデータを前記胃内の平均信号レベルとして格納すること
を行うように構成されることによって、前記検出された幽門移行を示す前記データを格納するように構成される、請求項６、７または８に記載の摂取可能装置。
【請求項１０】
前記処理装置が、
値の前記第１のサブセットの前記第１の平均値が前記胃内の前記平均信号レベルの所定の倍数よりも大きいというさらなる判断に応答して、前記検出された幽門移行を示す前記データを格納するように構成される、請求項９に記載の摂取可能装置。
【請求項１１】
前記処理装置が、
前記摂取可能装置の先行する位置が十二指腸であったと判断することと、
前記胃内の平均信号レベルを示すデータを取得することと、
値の前記第２のサブセットの前記第２の平均値が前記胃内の前記平均信号レベルの所定の倍数よりも小さいという判断に応答して前記十二指腸から胃への検出された逆幽門移行を示すデータを格納することである、データを格納することと
を行うように構成されることによって、前記摂取可能装置の前記位置における前記変化を識別するように構成される、請求項５〜請求項８のいずれか１項に記載の摂取可能装置。
【請求項１２】
前記摂取可能装置の前記位置における前記変化を識別することが、
前記摂取可能装置の先行する位置が十二指腸であったと判断することと、
前記胃内の平均信号レベルを示すデータを取得することと、
前記第１の平均値が前記胃内の前記平均信号レベルの所定の倍数よりも小さいという判断に応答して前記十二指腸から胃への検出された逆幽門移行を示すデータを格納することである、データを格納することと
を含む、請求項９または請求項１０に記載の摂取可能装置。
【請求項１３】
前記第１の波長が、６００〜７５０ｎｍの間の光の赤色のスペクトル内であり、前記第２の波長が、４９５〜６００ｎｍの間の光の緑色のスペクトル内である、請求項１に記載の摂取可能装置。
【請求項１４】
前記摂取可能装置の前記位置における前記変化を識別することが、赤色の光の緑色の光に対する比率が変化する場合、回腸移行を判断することを含む、請求項１３に記載の摂取可能装置。
【請求項１５】
前記処理装置は、
第１のスライディング窓フィルタを前記データセットに適用することによって値の第１の生のサブセットを取得することと、
第２のスライディング窓フィルタを前記データセットに適用することによって値の第２の生のサブセットを取得することと、
値の前記第１の生のサブセットから外れ値の第１のセットを取り除くことによって値の前記第１のサブセットを決定することであって、外れ値の前記第１のセットは、値の前記第１の生のサブセットの標準偏差に基づいて識別されている、値の前記第１のサブセットを決定することと、
値の前記第２の生のサブセットから外れ値の第２のセットを取り除くことによって値の前記第２のサブセットを決定することであって、外れ値の前記第２のセットは、値の前記第２の生のサブセットの標準偏差に基づいて識別されている、値の前記第２のサブセットを決定することと、
を行うように構成されることによって、値の前記第１のサブセットを取得し、かつ値の前記第２のサブセットを取得するように構成されている、請求項１〜請求項１４のいずれか１項に記載の摂取可能装置。
【請求項１６】
前記第１のスライディング窓フィルタおよび前記第２のスライディング窓フィルタは各々、いくつかの値を前記データセットから選択するように構成され、前記数は１０〜４０の間である、請求項１５に記載の摂取可能装置。
【請求項１７】
前記第１のスライディング窓フィルタおよび前記第２のスライディング窓フィルタは各々、所定の範囲のデータ値を前記データセットから選択するように構成され、前記所定の範囲のデータ値は１５秒のデータ〜５分のデータの間である、請求項１５または１６に記載の摂取可能装置。
【請求項１８】
前記所定の期間は、前記所定の範囲のデータ値の１〜５倍と実質的に同様の範囲内である、請求項１７に記載の摂取可能装置。